(57)【要約】【課題】本発明は、入力面の向きが横向き又は縦向きのいずれの場合も、筐体の内部の空気を排気口から効率良く排出することができ電子機器を得ることにある。【解決手段】電子機器(1)は、入力面(16)を有するとともに複数の発熱体(34,35,40)を収容する筐体(4,11)と、筐体に収容され、発熱体を冷却するファン(46)とを備えている。この電子機器は、入力面を横向き又は縦向きとしたいずれかの姿勢に筐体を手で保持して使用することを前提としている。筐体は、入力面を横向き又は縦向きとしたいずれの姿勢においても筐体の上端部に対応する位置に排気口(53,61)を有するとともに、この排気口に対し発熱体を間に挟んだ反対側に吸気口(54)を有している。【選択図】      図３
2005107122.tif 000002
【特許請求の範囲】
【請求項１】
表示画面を有するとともに複数の発熱体を収容する筐体と、
上記筐体に収容され、上記発熱体を冷却するファンと、を具備し、
上記表示画面を横向き又は縦向きとしたいずれかの姿勢で使用する電子機器であって、
上記筐体のうち、上記表示画面を横向き又は縦向きとしたいずれの姿勢においても上記筐体の上端部に対応する位置に排気口を設けるとともに、上記排気口に対し上記発熱体を間に挟んだ反対側に吸気口を設けたことを特徴とする電子機器。
【請求項２】
請求項１の記載において、上記ファンは、空気を吸い込む吸込口と、空気を吐き出す吐出口とを有し、このファンの吐出口が上記筐体の排気口と向かい合うことを特徴とする電子機器。
【請求項３】
請求項２の記載において、上記筐体は、互いに交差するように隣り合う複数の周壁を有し、これら周壁に夫々上記排気口が設けられていることを特徴とする電子機器。
【請求項４】
請求項３の記載において、上記筐体は、上記隣り合う周壁によって定められる角部を有し、この角部に上記排気口が位置するとともに、上記ファンは、上記吐出口を上記角部に向けた姿勢で上記筐体に収容されていることを特徴とする電子機器。
【請求項５】
請求項１又は請求項２の記載において、上記ファンは、金属製のファンケーシングを有し、上記発熱体のうちの少なくとも一つは、上記ファンケーシングに熱的に接続されていることを特徴とする電子機器。
【請求項６】
請求項１ないし請求項３のいずれかの記載において、上記筐体の吸気口は、上記表示画面を縦向きとした姿勢に上記筐体を保持した時に上記筐体の下端部に位置するとともに、上記吸気口と上記排気口との間に上記発熱体が位置することを特徴とする電子機器。
【請求項７】
請求項１の記載において、上記ファンは、空気を吸い込む吸込口と、空気を吐き出す吐出口とを有するとともに、上記吐出口を上記排気口に向けた姿勢で上記筐体に収容され、上記発熱体は、上記ファンの吐出口から上記筐体の排気口に至る空気の流れ経路に位置することを特徴とする電子機器。
【請求項８】
請求項１の記載において、上記筐体は、この筐体の内部を厚み方向に二つの領域に区分けする回路板を収容し、上記発熱体は上記回路板に支持されて上記二つの領域に収容されているとともに、これら二つの領域を上記吸気口から上記排気口に向かう空気が流れることを特徴とする電子機器。
【請求項９】
表示画面と、この表示画面に隣接する縁部とを有する筐体と、
上記筐体の縁部に設けられ、上記筐体を片手で保持する時に手を掛けるグリップと、
上記筐体に収容された発熱体と、
上記筐体に収容され、上記発熱体を冷却するファンと、を具備し、
上記グリップを手で持った時に上記表示画面が縦向きとなるとともに、この表示画面の手元側が低くなるように上記筐体が起立する電子機器であって、
上記筐体のうち、上記表示画面を縦向きとした時に上記筐体の上端部に対応する位置に排気口を設けるとともに、上記筐体の下端部に対応する位置に吸気口を設けたことを特徴とする電子機器。
【請求項１０】
請求項１又は請求項９の記載において、上記表示画面は、上記筐体の幅方向に沿う長軸と上記筐体の奥行き方向に沿う短軸とを有する矩形状であり、上記表示画面を縦向きで使用する時に上記表示画面の短軸が横置きとなることを特徴とする電子機器。
【請求項１１】
請求項９の記載において、上記ファンは、空気を吸い込む吸込口と、空気を吐き出す吐出口とを有し、このファンの吐出口が上記筐体の排気口と向かい合うことを特徴とする電子機器。
【請求項１２】
請求項９又は請求項１１の記載において、上記筐体の排気口は、上記表示画面を縦向きで使用する時に上記グリップよりも上方に位置することを特徴とする電子機器。
【請求項１３】
請求項９の記載において、上記筐体は、互いに交差するように隣り合う複数の周壁を有し、これら周壁に夫々上記排気口が設けられていることを特徴とする電子機器。
【請求項１４】
発熱体およびこの発熱体を冷却するファンを収容する第１の筐体と、
表示画面を有し、上記第１の筐体に対し横軸回りに回動可能に支持されるとともに、縦軸回りに反転可能に支持された第２の筐体と、を具備し、
上記第２の筐体は、上記第１の筐体に対し起立する第１の使用形態と、上記第２の筐体を上記第１の筐体の上に重ね合わせた状態で上記表示画面を露出させる第２の使用形態とのいずれかに選択的に切り換え可能であり、上記第２の使用形態において上記表示画面を横向き又は縦向きとしたいずれかの姿勢に表示方向を変更可能であるとともに、上記表示画面の手元側が低くなるように上記第１および第２の筐体を起して使用する電子機器であって、
上記第１の筐体のうち、上記表示画面を横向き又は縦向きとしたいずれの姿勢においても上記第１の筐体の上端部に対応する位置に排気口を設けるとともに、この排気口に対し上記発熱体を間に挟んだ反対側に吸気口を設けたことを特徴とする電子機器。
【請求項１５】
請求項１４の記載において、上記吸気口は、上記表示画面を縦向きとした時に上記第１の筐体の下端部に位置するとともに、上記発熱体は、上記吸気口と上記排気口との間に位置することを特徴とする電子機器。
【請求項１６】
請求項１４の記載において、上記第１の筐体は、互いに交差するように隣り合う複数の周壁を有し、これら周壁に夫々上記排気口が設けられていることを特徴とする電子機器。
【請求項１７】
請求項１、請求項９および請求項１４のいずれかの記載において、上記表示画面は、手書き入力可能な入力面を兼ねていることを特徴とする電子機器。
【発明の詳細な説明】
【技術分野】
【０００１】
本発明は、表示画面を横向き又は縦向きとしたいずれかの姿勢に表示方向を変更可能な電子機器に関する。
【背景技術】
【０００２】
携帯形のパーソナルコンピュータのような電子機器において、本体ユニットに支持された表示ユニットを１８０°反転可能としたものが知られている。この電子機器によると、表示ユニットは、水平な第１の軸を介して本体ユニットに支持され、この本体ユニットの上に横たわる閉じ位置と、本体ユニットに対し起立する開き位置との間で回動可能となっている。さらに、表示ユニットは、上記第１の軸と直交する第２の軸を介して本体ユニットに１８０°反転可能に支持されている。
【０００３】
このため、開き位置にある表示ユニットを第２の軸を中心に１８０°反転させた後に閉じ位置に倒せば、表示ユニットは、入力面を兼ねる表示画面を上向きとした姿勢で本体ユニットの上に横たわる。よって、表示画面をタブレットペンで触れることで入力操作を行えるようになっている（例えば、特許文献１参照）
一方、パーソナルコンピュータのような電子機器は、情報を処理するCPUを搭載している。CPUは、処理速度の高速化や多機能化により動作中の発熱量が増加している。このCPUの温度が高くなり過ぎると、処理速度が遅くなったり、動作不能に陥ることがあり得る。このため、従来の電子機器は、CPUを強制的に冷却する空冷式の冷却ユニットを装備している。
【０００４】
冷却ユニットは、CPUに熱的に接続されたヒートシンクと、このヒートシンクに空気を送風するファンとを備えている。ファンから送られる空気は、ヒートシンクに吹き付けられるとともに、このヒートシンクとの熱交換により加熱される。この加熱された空気は、電子機器の筐体の側壁又は後壁に開けた排気口から筐体の外部に排出されるようになっている。（例えば、特許文献２参照）
【特許文献１】特開平１１−３９０５８号公報
【特許文献２】特開平１０−１２４１７２号公報
【発明の開示】
【発明が解決しようとする課題】
【０００５】
特許文献１に開示された電子機器では、タブレットペンを用いて入力操作を実行する際に、表示画面を横向き又は縦向きとした姿勢に本体ユニットおよび表示ユニットを手で保持するとともに、この表示画面を手元側が低くなるように傾斜させる場合があり得る。このため、本体ユニットおよび表示ユニットの向きが表示方向に応じて略９０°変化する。
【０００６】
これに対し、特許文献２に開示された電子機器は、キーボードを利用して情報を入力することを前提としている。そのため、情報を入力する時の筐体の向きが電子機器の使用形態に応じて変化することを何ら想定しておらず、ヒートシンクとの熱交換により加熱された空気の排出方向が筐体の側方又は後方のいずれかに限定されている。
【０００７】
しかしながら、表示方向に応じて本体ユニットの姿勢が変化する電子機器に上記特許文献２の冷却ユニットを適用した場合、本体ユニットの姿勢によっては排気口が下向きとなったり、加熱された空気がオペレータに向けて吹き出すことがあり得る。
【０００８】
特に電子機器の使用中に本体ユニットの排気口が下向きとなると、本体ユニットの内部に生じる自然対流による空気の流れ方向と排気口の開口方向とが一致しなくなる。そのため、本体ユニットの内部にCPUから放出された熱が滞留し易くなり、CPUの冷却性能を高める上での妨げとなるといった問題が生じてくる。
【０００９】
本発明は、このような事情にもとづいてなされたもので、表示画面が横向き又は縦向きのいずれの場合も、筐体の内部の空気を排気口から効率良く排出することができ、発熱体の冷却性能が高まる電子機器の提供を目的とする。
【課題を解決するための手段】
【００１０】
上記目的を達成するため、本発明の一つの形態に係る電子機器は、  
表示画面を有するとともに複数の発熱体を収容する筐体と、  
上記筐体に収容され、上記発熱体を冷却するファンとを備え、  
上記筐体のうち、上記表示画面を横向き又は縦向きとしたいずれの姿勢においても上記筐体の上端部に対応する位置に排気口を設けるとともに、上記排気口に対し上記発熱体を間に挟んだ反対側に吸気口を設けたことを特徴としている。
【発明の効果】
【００１１】
本発明によれば、発熱体の熱を奪った空気を筐体の排気口から効率良く排出することができ、発熱体の冷却性能が高まる。
【発明を実施するための最良の形態】
【００１２】
以下本発明の第１の実施の形態を、図１ないし図９にもとづいて説明する。
【００１３】
図１ないし図４は、電子機器としてのキーボード付き携帯情報機器１を開示している。携帯情報機器１は、本体ユニット２と表示ユニット３とを備えている。本体ユニット３は、偏平な箱形の第１の筐体４を有している。第１の筐体４は、底壁５ａ、上壁５ｂ、左右の側壁５ｃ、前壁５ｄおよび後壁５ｅを含んでいる。側壁５ｃ、前壁５ｄおよび後壁５ｅは、第１の筐体４の周壁を構成している。上壁５ｂは、キーボード６を支持している。
【００１４】
側壁５ｃと前壁５ｄおよび側壁５ｃと後壁５ｅは、互いに直交するように隣り合っている。これら側壁５ｃ、前壁５ｄおよび後壁５ｅは、互いに協働して第１ないし第４の角部７ａ，７ｂ，７ｃ，７ｄを構成している。第１ないし第４の角部７ａ，７ｂ，７ｃ，７ｄは、第１の筐体４の四隅に位置している。言い換えると、第１の角部７ａは第１の筐体４の前端左側に位置し、第２の角部７ｂは第１の筐体４の後端左側に位置している。同様に、第３の角部７ｃは第１の筐体４の前端右側に位置し、第４の角部７ｄは第１の筐体４の後端右側に位置している。
【００１５】
第１の筐体４の後端部に円柱状の支持部８が形成されている。支持部８は、第１の筐体４の後縁部に沿って第１の筐体４の幅方向に延びており、この支持部８の長手方向の中央部に凹部９が形成されている。
【００１６】
表示ユニット３は、第２の筐体１１と液晶表示パネル１２とを備えている。第２の筐体１１は、上記第１の筐体４と略同じ大きさの偏平な箱形であり、前面１３ａ、背面１３ｂおよび四つの周面１３ｃを有している。
【００１７】
液晶表示パネル１２は、第２の筐体１１に収容されており、その表示画面が透明なタブレット１４で覆われている。タブレット１４は、タブレットペン１５（図９に示す）を用いて入力操作を実行する入力面１６を有している。入力面１６は液晶表示パネル１２の表示画面に重なり合っており、この入力面１６を通じて表示画面が透けて見える。このため、液晶表示パネル１２の表示画面は入力面１６を兼ねており、この入力面１６は第２の筐体１１の前面１３ａに形成された開口部１７を通じて第２の筐体１１の外方に露出している。
【００１８】
図１および図３に示すように、入力面１６は、長軸Ｘと短軸Ｙを有する矩形状をなしている。入力面１６の長軸Ｘは、第２の筐体１１の幅方向に沿って延びているとともに、入力面１６の短軸Ｙは、第２の筐体１１の奥行き方向に沿って延びている。
【００１９】
第２の筐体１１の前面１３ａに例えば十字キーのような一対の操作キー１８ａ，１８ｂと、例えばカーソルを移動させたり、表示を拡大・縮小させる複数の決定キー１９が配置されている。操作キー１８ａ，１８ｂは、入力面１６を間に挟んで第２の筐体１１の幅方向に振り分けて配置されているとともに、決定キー１９は一方の操作キー１８ａと隣り合う位置に配置されている。
【００２０】
第２の筐体１１は、ヒンジユニット２１を介して第１の筐体４の支持部８に連結されている。ヒンジユニット２１は、ヒンジ本体２２、横軸となる一対の第１のヒンジ軸２３ａ，２３ｂおよび縦軸となる第２のヒンジ軸２４を備えている。ヒンジ本体２２は、円柱状をなすとともに上記支持部８の凹部９に回動可能に入り込んでいる。このヒンジ本体２２と支持部８は、第１の筐体４の幅方向に沿って互いに同軸状に一列に並んでいる。
【００２１】
第１のヒンジ軸２３ａ，２３ｂは、ヒンジ本体２２の軸方向に沿う両端部と支持部８との間に跨っている。第１のヒンジ軸２３ａ，２３ｂは、互いに同軸状をなすとともに第１の筐体４の幅方向に沿って延びている。このため、第１のヒンジ軸２３ａ，２３ｂは、ヒンジ本体２２を略１８０°回動可能に第１の筐体４に支持している。
【００２２】
第２のヒンジ軸２４は、ヒンジ本体２２の軸方向に沿う中央部と第２の筐体１１との間に跨っている。第２のヒンジ軸２４は、第１のヒンジ軸２３ａ，２３ｂと直交する方向に延びている。このため、第２のヒンジ軸２４は、第２の筐体１１を略１８０°反転可能にヒンジ本体２２に支持している。
【００２３】
以上のことから、ヒンジユニット２１は、表示ユニット３を閉じ位置と開き位置との間で回動可能に本体ユニット２に支持しているとともに、表示ユニット３が開き位置にある時に、この表示ユニット３を第２のヒンジ軸２４の周方向に略１８０°反転可能に本体ユニット２に支持している。
【００２４】
表示ユニット３が閉じ位置に回動された状態では、表示ユニット３の第２の筐体１１が本体ユニット２の第１の筐体４の上に横たわり、第２の筐体１１の前面１３ａが第１の筐体４の上面５ｂと向かい合う。このため、キーボード６、タブレット１４の入力面１６、操作キー１８ａ，１８ｂおよび決定キー１９が第１および第２の筐体４，１１によって覆い隠されるとともに、携帯情報機器１が手帳形に折り畳まれる。
【００２５】
一方、図１に示す開き位置では、表示ユニット３が本体ユニット２の後端部から起立しており、キーボード６、タブレット１４の入力面１６、操作キー１８ａ，１８ｂおよび決定キー１９がオペレータから見えるように露出している。表示ユニット３は、上記開き位置にある時に第２のヒンジ軸２４を中心に略１８０°の範囲内で反転可能となっている。このため、開き位置に保持された表示ユニット３を第２のヒンジ軸２４を中心に１８０°反転させた後、表示ユニット３を閉じ位置に向けて回動させると、図６や図９に示すように、表示ユニット３は入力面１６を上向きにした姿勢で本体ユニット２の上に横たわる。
【００２６】
よって、携帯情報機器１は、第１の筐体４と第２の筐体１１とを一体化した状態で手帳形に折り畳まれ、入力面１６をタブレットペン１５で触れたり、あるいは入力面１６にタブレットペン１５を近づけることで手書き入力を行えるようになっている。
【００２７】
ところで、この種の携帯情報機器１は、オペレータが片手で保持して入力操作を行えるような大きさに設計されている。このことから、携帯情報機器１は、一般的なポータブルコンピュータと同様に、表示ユニット３を開き位置に回動させてキーボード６で入力操作を実行する第１の使用形態（図１、図８を参照）と、表示ユニット３を入力面１６が上向きとなる姿勢に反転させてタブレットペン１５を用いて入力操作を実行する第２の使用形態（図６、図９を参照）とのいずれかを選択し得るようになっている。
【００２８】
第２の使用形態においては、入力面１６を横向きにした姿勢で携帯情報機器１を使用する場合と、入力面１６を縦向きにした姿勢で携帯情報機器１を使用する場合とがあり得る。図５に示すように入力面１６を横向きにした場合、入力面１６の長軸Ｘが横置きとなり、入力面１６が横長画面となる。図６および図７に示すように入力面１６を縦向きとした場合は、入力面１６の短軸Ｙが横置きとなり、入力面１６が縦長画面となる。
【００２９】
図２に示すように、携帯情報機器１の本体ユニット２は、携帯情報機器１を左手で持つ時に使用するグリップ２５を備えている。グリップ２５は、第１の筐体４の底壁５ａと後壁５ｅとで規定される角部に一体に形成されており、第１の筐体４の幅方向に沿って延びている。このグリップ２５は、第１の筐体４の底壁５ａから突出するとともに、その突出端２５ａが手の指先を掛け易いように円弧状に湾曲している。
【００３０】
さらに、グリップ２５は、第１の筐体４の後壁５ｅから後方に張り出す膨出部２５ｂを有している。膨出部２５は、上記支持部８を介して第１の筐体４の後縁部に連続している。表示ユニット３を入力面１６が上向きとなる姿勢に反転させた第２の使用形態では、第１の筐体４の後縁部に位置する支持部８およびグリップ２５が入力面１６に隣接するようになっている。
【００３１】
図８および図９は、夫々第１の使用形態および第２の使用形態にある携帯情報機器１を例えば机の天板のような載置面２６の上に置いた状態を開示している。この状態では、グリップ２５の突出端２５ａが全長に亘って載置面２６に突き当たるとともに、第１の筐体４の底壁５ａの前端部が載置面２６に突き当たっている。
【００３２】
これにより、第１の使用形態にあっては、本体ユニット２はキーボード６の手元側が低くなるような姿勢に傾いており、キーボード６の操作性が良好となる。また、第２の使用形態にあっては、本体ユニット２および表示ユニット３は入力面１６の手元側が低くなるような姿勢に傾いており、入力面１６が見易くなる。
【００３３】
それとともに、上記第１および第２の使用形態にいずれにおいても、第１の筐体４の底壁５ａがその前端からグリップ２５の方向に進むに従い載置面２６から遠ざかる方向に傾斜している。このため、底壁５ａと載置面２６との間に隙間G1が形成されている。
【００３４】
図３および図４に示すように、第１の筐体４はプリント回路板３０および冷却ユニット３１を収容している。プリント回路板３０は、上面３０ａと下面３０ｂを有している。プリント回路板３０の上面３０ａは、第１の筐体４の上壁５ｂやキーボード６と向かい合うとともに、プリント回路板３０の下面３０ｂは、第１の筐体４の底壁５ａと向かい合っている。このため、プリント回路板３０は、第１の筐体４の内部を上部領域３２ａと下部領域３２ｂとに厚み方向に区分けしている。
【００３５】
プリント回路板３０の上面３０ａにハードディスク駆動装置３４、チップセット３５、マイク入力端子３６、ヘッドホン出力端子３７および複数のコネクタ３８が実装されている。これら各部品３４〜３８は、第１の筐体４の内部の上部領域３２ａに収容されている。さらに、ハードディスク駆動装置３４は、プリント回路板３０の左端部に位置し、第１の筐体４の左側の側壁５ｃと隣り合っている。
【００３６】
プリント回路板３０の下面にCPU４０および図示しない複数の回路部品が実装されている。CPU４０および回路部品は、第１の筐体４の内部の下部領域３２ｂに収容されている。さらに、CPU４０は、プリント回路板３０の後端部に位置し、第１の筐体４の第４の角部７ｄと隣り合っている。ハードディスク駆動装置３４、チップセット３５およびCPU４０は、動作中に発熱を伴う発熱体であり、安定した動作を維持するための積極的な冷却を必要としている。
【００３７】
図２に示すように、第１の筐体４は、一対のスピーカ４１ａ，４１ｂを収容している。スピーカ４１ａ，４１ｂは、第１の筐体４の下部領域３２ｂに配置され、第１の筐体４の底壁５ａの中央部に形成された放音用の開口部４２と向かい合っている。開口部４２は、下部領域３２ｂに連なるとともに、網状のスピーカカバー４３で覆われている。
【００３８】
上記冷却ユニット３１は、ハードディスク駆動装置３４、チップセット３５およびCPU４０のような発熱体を強制的に冷却するためのものである。この冷却ユニット３１は、受熱板４５とファン４６とを備えている。受熱板４５は、例えばアルミニウム合金のような熱伝導性に優れた金属材料で作られている。受熱板４５は、CPU４０と第１の筐体４の底壁５ａとの間に介在されて、CPU４０に熱的に接続されている。
【００３９】
受熱板４１は、ファン支持部４７を有している。ファン支持部４７は、CPU４０から第１の筐体４の右側の側壁５ｃに向けて延出されて、第４の角部７ｄの内側に位置している。
【００４０】
ファン４６は、ファンケーシング４８と羽根車４９とを備えている。ファンケーシング４８は、例えばアルミニウム合金のような熱伝導性に優れた金属材料で作られている。このファンケーシング４８は、ファン支持部４７の上面に固定されている。
【００４１】
このことから、本実施形態の場合、受熱板４５とファンケーシング４８は、ファン支持部４７を介して一体化されている。そのため、CPU４０の熱の一部は、受熱板４５からファン支持部４７を経由してファンケーシング４８に伝わるようになっている。
【００４２】
羽根車４９は、ファンケーシング４８に支持されている。この羽根車４９は、携帯情報機器１の電源投入時あるいはCPU４０の温度が予め決められた値に達した時に図示しないファンモータによって駆動される。
【００４３】
ファンケーシング４８および受熱板４５のファン支持部４７は、夫々第１の筐体４の内部に開口する吸込口５０ａ，５０ｂを有している。吸込口５０ａ，５０ｂは、羽根車４９の回転中心部に開口するとともに、この羽根車４９を間に挟んで向かい合っている。一方の吸込口５０ａは、第１の筐体４の内部の上部領域３２ａに連なるとともに、他方の吸込口５０ｂは、第１の筐体４の内部の下部領域３２ｂに連なっている。
【００４４】
さらに、ファンケーシング４８は、羽根車４９の外周部と向かい合う吐出口５１を有している。図３に示すように、吐出口５１は、第１の筐体４の右側の側壁５ｃに向けて開口する第１の開口領域５１ａと、第１の筐体４の後壁５ｅに向けて開口する第２の開口領域５１ｂとを有している。
【００４５】
羽根車４９が回転すると、第１の筐体４の上部領域３２ａの空気が吸込口５０ａから羽根車４９の回転中心部に吸い込まれる。同様に、第１の筐体４の下部領域３２ｂの空気が吸込口５０ｂから羽根車４９の回転中心部に吸い込まれる。この吸い込まれた空気は、遠心力によって羽根車４９の外周部から吹き出し、ファンケーシング４８やファン支持部４７を冷却した後、吐出口５１から二方向に吐き出される。
【００４６】
図３および図４に示すように、第１の筐体４は、複数の排気口５３を有している。排気口５３は、右側の側壁５ｃの後端部およびこの側壁５ｃの後端部に連なる後壁５ｅの右端部に互いに間隔を存して形成されている。そのため、排気口５３は、第１の筐体４の第４の角部７ｄに位置し、第１の筐体４の右側方および後方に向けて開口している。
【００４７】
さらに、第１の筐体４は、複数の吸気口５４を有している。吸気口５４は、左側の側壁５ｃに間隔を存して形成されており、第１の筐体４の上部領域３２ａおよび下部領域３２ｂに連なっている。これら吸気口５４は、排気口５３に対しCPU４０のような発熱体を間に挟んだ反対側に位置している。
【００４８】
このような構成の携帯電子機器１において、キーボード６を用いて入力操作を実行する第１の使用形態では、図８に示すように、本体ユニット２を載置面２６の上に置くとともに、表示ユニット３を開き位置に回動させる。この際、グリップ２５の突出端２５ａおよび第１の筐体４の底壁５ａの前端が載置面２６に突き当たるので、本体ユニット２はキーボード６の手元側が低くなるような姿勢に傾く。それとともに、第１の筐体４の底壁５ａと載置面２６との間に隙間G1が形成され、この隙間G1の分だけスピーカ４１ａ，４１ｂが載置面２６から浮き上がる。このため、スピーカ４１ａ，４１ｂからの音は、隙間G1を通じて携帯情報機器１の外周囲に放出される。
【００４９】
次に、表示ユニット３を入力面１６が上向きとなる姿勢に反転させた第２の使用形態について説明する。
【００５０】
図５は、入力面１６を横向きにするとともに、携帯情報機器１を両手で保持して操作する状態を開示している。この状態では、オペレータは、入力面１６が見易い角度に傾斜するように本体ユニット２およびこの本体ユニット２の上に重ねられた表示ユニット３を起こし、両手の親指で操作キー１８ａ，１８ｂあるいは決定キー１９を操作する。
【００５１】
入力面１６が横向きの時に本体ユニット２および表示ユニット３を起すと、本体ユニット２の第４の角部７ｄが携帯情報機器１の上端の右側部に位置する。言い換えると、第１の筐体４の排気口５３およびファン４６が第１の筐体４の上端の右側部に位置し、排気口５３が携帯情報機器１を支える右手の上方に位置する。
【００５２】
この際、右側の側壁５ｃに位置する排気口５３は、本体ユニット２の右側に向けて開口するとともに、後壁５ｅに位置する残りの排気口５３は、本体ユニット２の上方に向けて開口している。また、左側の側壁５ｃに位置する吸気口５４は、本体ユニット２の左側に向けて開口している。
【００５３】
ファン４６の羽根車４９が回転すると、第１の筐体４の内部が負圧となるので、第１の筐体４の左側の側壁５ｃに開けた吸気口５４から携帯情報機器１の外部の空気が吸い込まれる。この空気は、図３および図４に矢印で示すように、第１の筐体４の内部の上部領域３２ａおよび下部領域３２ｂをファン４６に向けて流れる。これにより、第１の筐体４の内部に横向きの空気の流れ経路が形成される。
【００５４】
上部・下部領域３２ａ，３２ｂを流れる空気は、チップセット３５やCPU４０のような発熱体を冷却する。この発熱体との熱交換により加熱された空気は、ファンケーシング４８の吸込口５０ａ，５０ｂに吸い込まれるとともに、このファンケーシング４８の吐出口５３から排気口５３に向けて吐き出される。この吐き出された空気は、排気口５３から第１の筐体４の右側および上側の二方向に排出される。
【００５５】
一方、図６および図７は、第１の筐体４のグリップ２５を左手で保持し、入力面１６を縦向きにして携帯情報機器１を操作する状態を開示している。この状態においても、オペレータは、入力面１６が見易い角度に傾斜するように本体ユニット２および表示ユニット３を起こし、右手でタブレットペン１５を用いて入力操作を実行する。
【００５６】
入力面１６が縦向きの時に本体ユニット２および表示ユニット３を起こすと、携帯情報機器１が上記図３の状態から反時計回り方向に略９０°回動し、本体ユニット２の第４の角部７ｄが携帯情報機器１の上端の右側部に位置する。
【００５７】
言い換えると、第１の筐体４の排気口５３およびファン４６が第１の筐体４の上端の左側部に位置し、排気口５３が携帯情報機器１を支える左手の上方に位置する。この際、側壁５ｃに位置する排気口５３は、本体ユニット２の上方に向けて開口するとともに、後壁５ｅに位置する残りの排気口５３は、本体ユニット２の左側に向けて開口している。また、左側の側壁５ｃに位置する吸気口５４は、本体ユニット２の下端部に位置するとともに、下方に向けて開口している。
【００５８】
ファン４６の羽根車４９が回転した時、吸気口５４から第１の筐体４の内部に吸い込まれた空気は、第１の筐体４の内部の上部領域３２ａおよび下部領域３２ｂをファン４６に向けて流れる。これにより、第１の筐体４の内部に縦向きの空気の流れ経路が形成される。
【００５９】
上部・下部領域３２ａ，３２ｂを流れる空気は、チップセット３５やCPU４０のような発熱体を冷却する。この発熱体との熱交換により加熱された空気は、ファンケーシング４８の吸込口５０ａ，５０ｂに吸い込まれるとともに、このファンケーシング４８の吐出口５３から排気口５３に向けて吐き出される。この吐き出された空気は、排気口５３から第１の筐体４の左側および上側の二方向に排出される。
【００６０】
このような携帯情報機器１によれば、表示ユニット３を入力面１６が上向きとなる姿勢に反転させた第２の使用形態において、入力面１６を横向き又は縦向きとしたいずれの場合もファン４６および排気口５３が第１の筐体４の上端部に位置する。
【００６１】
このため、CPU４０のような発熱体が動作中に発熱した時に、第１の筐体４の内部に生じる自然対流による空気の流れ方向と、ファン４６を用いた強制空冷による空気の流れ方向が互いに干渉し合うことはない。特に入力面１６を縦向きとした場合には、自然対流による空気の流れ方向と強制空冷による空気の流れ方向が一致するとともに、この空気の流れ方向と排気口５３の開口方向とが一致する。
【００６２】
したがって、発熱体との熱交換により加熱された空気を第１の筐体４の排気口５３から効率良く排出することができ、発熱体の放熱性能が高まる。それとともに、第１の筐体４の内部の通気性が良好となり、第１の筐体４の過度の温度上昇を防止できる。
【００６３】
さらに、上記構成によると、携帯情報機器１を手で持って操作する時に、入力面１６が横向き又は縦向きのいずれの場合も、排気口５３が携帯情報機器１を支える手よりも上方に位置する。この結果、排気口５３から排出される熱い空気が手に向けて吹き出すことはなく、オペレータが携帯電子機器１を操作する際に熱い思いをすることはない。
【００６４】
加えて、排気口５３は、第１の筐体４の右側の側壁５ｃから後壁５ｅに跨って形成されている。このため、排気口５３の開口面積が増大するとともに、加熱された空気を第１の筐体４の排気口５３から二方向に排出することができる。よって、発熱体との熱交換により加熱された空気を第１の筐体４の外部に効率良く排出できる。
【００６５】
本発明を実施するに当っては、第１の筐体にシャッターを設け、このシャッターで側壁の排気口又は後壁の排気口を選択的に開閉するようにしてもよい。この構成を採用することで、例えば入力面を横向きとして使用する時に、側壁の排気口をシャッターで閉じれば、加熱された空気を後壁の排気口のみから第１の筐体の上方に向けて排出することができる。
【００６６】
同様に、例えば入力面を縦向きとして使用する時に、後壁の排気口をシャッターで閉じれば、加熱された空気を側壁の排気口のみから第１の筐体の上方に向けて排出することができる。
【００６７】
このため、加熱された空気は、入力面が横向き又は縦向きのいずれの場合も携帯情報機器を支える手から遠ざかる方向に吐き出されることになり、オペレータに対する熱影響をより少なく抑えることができる。
【００６８】
さらに、本発明は上記第１の実施の形態に特定されるものではなく、図１０に本発明の第２の実施の形態を示す。
【００６９】
この第２の実施の形態は、発熱体との熱交換により加熱された空気の排出方向に関する事項が上記第１の実施の形態と相違しており、それ以外の携帯情報機器１の構成は、第１の実施の形態と同様である。
【００７０】
図１０に示すように、ファン４６は、その吐出口５１を第４の角部７ｄに向けた姿勢で第１の筐体４の内部に収容されている。これにより、吐出口５１は、右側の側壁５ｃの後端部および後壁５ｅの右端部と夫々向かい合っている。
【００７１】
第１の筐体４は、排気口６１を有している。排気口６１は、第１の筐体４の右側の側壁５ｃの後端部から後壁５ｅの右端部に跨るように連続して形成されており、ファン４６の吐出口５１と向かい合っている。
【００７２】
このような構成によれば、ファン４６の吐出口５１が第１の筐体４の側壁５ｃおよび後壁５ｅと向かい合うので、排気口６１を側壁５ｃから後壁５ｅに跨るように形成することができる。このため、排気口６１の開口範囲を吐出口５１の開口面積よりも増やすことができ、発熱体との熱交換により加熱された空気を第１の筐体４の外部に効率良く排出することができる。
【００７３】
図１１は、本発明の第３の実施の形態を開示している。
【００７４】
この第３の実施の形態では、ファン４６が第１の筐体４の左端部に設置されており、ファンケーシング４８の吸込口５０ａが第１の筐体４の吸気口５４の近傍に位置している。ファンケーシング４８の吐出口５１は、第１の筐体４の内部に向けて開口しており、この吐出口５１と排気口５３との間にCPU４０のような発熱体を実装したプリント回路板３０が介在されている。
【００７５】
発熱量の大きなCPU４０は、プリント回路板３０の右端部に実装されて、第１の筐体４の第４の角部７ｄに位置している。このため、本実施形態の場合、CPU４０は複数の排気口５３と向かい合っており、ファン４６のファンケース４８から熱的に切り離されている。
【００７６】
このような構成において、ファン４６の羽根車４９が回転すると、第１の筐体４の内部が負圧となるので、第１の筐体４の左側の側壁５ｃに開けた吸気口５４から携帯情報機器１の外部の空気が吸い込まれる。この空気は、ファンケーシング４８の吸込口５０ａに吸い込まれるとともに、このファンケーシング４８の吐出口５３から第１の筐体４の内部に吐き出される。
【００７７】
第１の筐体４の内部に吐き出された空気は、図１１に矢印で示すように、第１の筐体４の内部の上部領域３２ａおよび下部領域３２ｂを夫々排気口５３に向けて流れる。これにより、第１の筐体４の内部に横向きの空気の流れ経路が形成される。
【００７８】
上部・下部領域３２ａ，３２ｂを流れる空気は、CPU４０のような発熱体を冷却する。この発熱体との熱交換により加熱された空気は、入力面１６が横向きの時に、排気口５３から第１の筐体４の右側および上側に向けて排出される。また、この加熱された空気は、入力面１６が縦向きの時に、排気口５３から第１の筐体４の左側および上側に向けて排出される。
【００７９】
なお、本発明に係る電子機器は、携帯情報機器に特定されるものではなく、例えばB5サイズのポータブルコンピュータであっても同様に実施可能である。
【００８０】
さらに、入力面も矩形状に限らず、例えば正方形であってもよい。
【図面の簡単な説明】
【００８１】
【図１】本発明の第１の実施の形態に係る携帯情報機器の斜視図。
【図２】本発明の第１の実施の形態において、本体ユニットを底壁の方向から見た携帯情報機器の斜視図。
【図３】本発明の第１の実施の形態において、発熱体、ファン、排気口および吸気口の位置関係を一部断面で示す携帯情報機器の平面図。
【図４】本発明の第１の実施の形態において、発熱体、ファン、排気口および吸気口の位置関係を示す携帯情報機器の断面図。
【図５】本発明の第１の実施の形態において、入力面を横向きにした状態を示す携帯情報機器の平面図。
【図６】本発明の第１の実施の形態において、入力面を縦向きにした状態を示す携帯情報機器の斜視図。
【図７】本発明の第１の実施の形態において、入力面を縦向きにした状態を示す携帯情報機器の平面図。
【図８】本発明の第１の実施の形態において、表示ユニットを開き位置に回動させるとともに、本体ユニットを載置面の上に置いた状態を示す携帯情報機器の側面図。
【図９】本発明の第１の実施の形態において、表示ユニットを入力面が上向きとなる姿勢に反転させるとともに、本体ユニットを載置面の上に置いた状態を示す携帯情報機器の側面図。
【図１０】本発明の第２の実施の形態において、発熱体、ファン、排気口および吸気口の位置関係を一部断面で示す携帯情報機器の平面図。
【図１１】本発明の第３の実施の形態において、発熱体、ファン、排気口および吸気口の位置関係を一部断面で示す携帯情報機器の平面図。
【符号の説明】
【００８２】
４，１１…筐体（第１の筐体、第２の筐体）、１６…表示画面（入力面）、２５…グリップ、３４，３５，４０…発熱体（ハードディスク駆動装置、チップセット、CPU）、４６…ファン、５３，６１…排気口、５４…吸気口。
【図１】
2005107122.tif 000003
【図２】
2005107122.tif 000004
【図３】
2005107122.tif 000005
【図４】
2005107122.tif 000006
【図５】
2005107122.tif 000007
【図６】
2005107122.tif 000008
【図７】
2005107122.tif 000009
【図８】
2005107122.tif 000010
【図９】
2005107122.tif 000011
【図１０】
2005107122.tif 000012
【図１１】
2005107122.tif 000013